(57)【特許請求の範囲】
【請求項１】
上面、下面及び周壁からなる床板と、上面部及び脚部からなる支持脚と、床板の下面及び支持脚の上面部間に介装する係止板から構成し、支持脚は該脚部の下端周縁から外方へ鍔部を設け、鍔部に緩衝材を装着したフリーアクセス床において、緩衝材は、支持脚の鍔部に装着する挿入部と、該挿入部から外方斜め下方に向けて延設したスカート部とからなり、該スカート部が上方からの力により弾性変形して基礎床面の不陸に沿うようにしてなるフリーアクセス床。
【請求項２】
緩衝材は、挿入部に支持脚の鍔部を嵌め込む横方向の挿入溝を形成し、挿入溝に形成した突起部を、鍔部に形成した孔に嵌め込む請求項１記載のフリーアクセス床。
【請求項３】
緩衝材は、挿入部に支持脚の鍔部を嵌め込む横方向の挿入溝を形成し、鍔部の縁部に形成した切欠と、切欠に嵌まり込む挿入溝内側面の突起部の組み合わせにより抜け止めを図る請求項１記載のフリーアクセス床。
【発明の詳細な説明】
技術分野
本発明は、特に既存オフィスのリニューアルに適した低床タイプのフリーアクセス床の改良に関する。
背景技術
低床タイプのフリーアクセス床は、床板に一体又は別体に高さ固定式の支持脚を設け、基礎床面上に接着固定することなく単に敷き並べる。このフリーアクセス床の例としては、ＵＳＰ５，８４８，５０６やＵＳＰ６，２０２，３７４がある。従来のフリーアクセス床は、基礎床面の不陸や部材の製造誤差によって床板にがたつきを発生させ、隣接する床板間に段差を発生させるため、床板のサイズをできるだけ小さくする。更に、このフリーアクセス床は、小サイズの床板間に配線用の溝を形成し、この溝を分割した小さな溝蓋で塞ぐ構成として、極力基礎床面に沿わせる。しかし、配線用の溝を構成するフリーアクセス床は、部材使用量が増加してコスト高となる上に、多数の支持脚が邪魔になって自由に配線できない。
ここで、支持脚の高さの微調整を可能にした場合、この支持脚を用いたフリーアクセス床は、部品点数の増加に加えて調整の手間が増大し、構築コストが大幅に上昇する。そこで、本出願人は、床板のサイズを小さくすることなく、高さの微調整を可能にした支持脚を一切用いなくても、低床タイプのフリーアクセス床のがたつきや段差の発生を抑制できる床板（特公平０４−０３５５８６号公報、特公平０６−０５６０４６号公報、特開平０９−２２１９００号公報参照）を開発し、好評を得ている。
しかしながら、単に床板を支持脚上に載置した場合、床板が振動や衝撃によって横ズレを起こして床板同士の接触による異音を発することがある。また、床板が浮き上がって支持脚と接触することで異音を発することがある。更に、地震等による大きな振動や衝撃により、一部の床板がせり上がったり、逆に脱落する危険もあった。
このため、従来のフリーアクセス床は、突き合わせた床板のコーナー先端部を押圧部材によって上方から押さえつけ、支持脚に止め付ける交点止め方式（特開平０７−２３３６１８号公報参照）を採用することもある。しかし、前記フリーアクセス床は、部材点数の増加に加え、施工の手間が増大して構築コストが上昇する。また、メンテナンスやレイアウト変更に際し、作業者は、床板を脱着する度に押圧部材を脱着しなければならない。更に、押圧部材を脱着する都合上、個々の床板は工場出荷時に予めタイルカーペット等の表面材を床板に接着しておくことができず、床板敷設後の施工現場での貼着作業が必要となる。前記貼着作業は、専門業者によるために作業コストが高くなる。しかも、交点止め方式を採用したフリーアクセス床は、床板脱着の際に、表面材の剥がし作業及び再貼着作業が必要となる。
本発明は、
（１）小サイズの床板や、高さの微調整を可能にした支持脚を用いなくても、床板のがたつきや段差が発生せず、
（２）床板は、横ズレや浮き上がり防止が可能でありながら、表面材の予貼りにも対応でき、更に、
（３）支持脚は、基礎床面への接着を省くこともできる高さ固定式とし、
いわゆる低床タイプのフリーアクセス床を安価な構築コストで提供することを目的とする。
発明の開示
本発明は、上面、下面及び周壁からなる床板と、上面部及び脚部からなる支持脚と、床板の下面及び支持脚の上面部間に介装する係止板から構成し、床板は下面の角部に係止孔を設け、支持脚は前記上面部に嵌合孔を設け、係止板は下方に向けて支持脚の嵌合孔に対応する嵌合部、上方に向けて床板の周壁に当接する外側規制凸部と、床板の係止孔周縁に当接する内側規制凸部とを設け、係止板の嵌合部を支持脚の嵌合孔に嵌合し、この係止板の外側規制凸部を床板の周壁に当接し、そしてこの係止板の内側規制凸部を床板の係止孔周縁に当接して床板の下面及び支持脚の上面部間に係止板を介装することにより、床板を基礎床面に位置固定で敷設するフリーアクセス床である。
上記フリーアクセス床は、定置型であっても十分に安定して敷設できる。本発明では、更に、床板、支持脚及び両者間に介装する係止板それぞれの細部について、位置決めの正確さと安定性の向上を図るため、次のような工夫をした。
まず、床板は、角部の周壁の一部を水平方向にずらして外向基準面を設け、この外向基準面を係止板の外側規制凸部に当接させるようにした。また、床板は、係止孔周縁から上向きの内向基準面を設けて係止板の内側規制凸部に当接させるようにした。
次に、支持脚は、基礎床面に安定して設置できるように、上面部周縁から降ろした周壁を脚部とし、この脚部の下端周縁から外方へ鍔部を設けた。鍔部は、緩衝材を装着するとよい。この緩衝材は、支持脚の鍔部に装着する挿入部と、この挿入部から外方斜め下方に向けて延設したスカート部とからなり、このスカート部が上方からの力により弾性変形して基礎床面の不陸に沿うようにした。また、支持脚は、上面部周縁から降ろした周壁を脚部とし、この脚部に対向位置関係で一対の門型開口部を形成した。この支持脚は、低床型であるので、プレス成形により帯板材から良好な材料取りをしながら容易に製造できる。
最後に、係止板は、一体成形可能な弾性部材から形成し、支持脚の嵌合孔周縁に係止する鉤状突起を嵌合部側面に設けたり、床板の係止孔周縁に係止する係止突起を内側規制凸部の側面に設けたり、床板の係止孔周縁に係止する係止突起を有する係止爪を上面部に設けたり、更には内側規制凸部側面を下方から上方へ折り返した係止爪をこの内側規制凸部に設け、この係止爪上方に床板の係止孔周縁に係止する係止突起を設けた構成とした。この係止板は、嵌合部を内側規制凸部の下方位置に設けるとよく、更には、支持脚の嵌合孔周縁に係止する鉤状突起を嵌合部側面に設け、前記嵌合孔周縁に対する鉤状突起の係止によりこの嵌合部は支持脚の嵌合位置を保持するとよい。
発明を実施するための最良の形態
以下、図面に示す実施の形態により本発明を詳細に説明する。
図１は本発明のフリーアクセス床における集合した床板の角部分の平面図、図２は図１中Ｉ−Ｉ断面図、図３は図２の一部拡大断面図、図４は係止板の要部拡大平面図、図５は図１中ＩＩ−ＩＩ拡大断面図、図６は基礎床面に不陸がある場合の図１中ＩＩ−ＩＩ相当拡大断面図、図７は床板の底面図、図８は図７中ＩＩＩ−ＩＩＩ断面図、図９は支持脚の平面図で、図１０は図９中ＩＶ−ＩＶ断面図、図１１は支持ベースのブランク状態を示す平面図、図１２は本発明の第二実施例を示す図１中Ｉ−Ｉ相当拡大断面図で、図１３は本発明の第二実施例を示す係止板の要部拡大平面図である。
また、各図中、符号１は基礎床面、符号２は支持脚、符号３は係止板、符号４は床板、符号６は下面板、符号７は分画開口部、符号８は上面板、符号１１は外向基準面、符号１２は係止孔、符号１３は内向基準面、符号２０は嵌合孔、符号２１は支持脚の上面部、符号２２は支持脚の脚部、符号２３は支持脚の鍔部、符号２４は帯板材、符号２５は門型開口部、符号３２は外側規制凸部、符号３４は内側規制凸部、符号３６は係止爪、符号３７は嵌合部、符号３８は鉤状突起、符号３９は係止突起、符号４０は緩衝材、符号４３はスカート部、符号７ａは複合対角線リブ、符号７ｂは単純対角線リブ、符号Ｃは緩衝材基部底面と基礎床面との隙間（不陸）で、符号Ｄは床板間の隙間を表す。
本例のフリーアクセス床は、図１、図２及び図３に見られるように、コンクリート製基礎床面１に接地させる金属（亜鉛メッキ鋼板）製支持脚２と、支持脚２の上面部に固定される合成樹脂（ＰＰ）製係止板３と、対角線を境に自重により変形して不陸に沿うことができる略方形の金属（亜鉛メッキ鋼板）製床板４とからなる。支持脚２は、係止板３を介して集合した４枚の床板４の角部を同時に載置する。
床板４は、図７及び図８に見られるように、略全周に亘って上向きの周壁５を形成した略正方形の下面板６と、対角線上に設けた分画開口部７を境に完全に切り離された二枚の直角二等辺三角形の組からなる上面板８とを重ね合わせて構成している。周壁５は、上縁に外方に向けて水平に折り返した外周フランジ９を形成している。また、下面板６は、周壁５の内方に外周フランジ９と同じ高さのドーム状の支持柱１０を多数個形成している。上面板８及び下面板６は、外周フランジ９上面及び支持柱１０先端部位で接触し、前記接触部位におけるカシメ結合によって強固に一体化する。上面板８及び下面板６は、いずれも表面処理鋼板製のプレス成形品で、前記一体化もプレス成形で実施する。
床板４は、角部の周壁５の一部をこの周壁高さに亘って外方へ突出させ、外向基準面１１を設けている。外向基準面１１は、周壁５と面一にしても、係止板３の外側規制凸部３２に当接して隣接する床板４相互の位置関係を決定できる。しかし、隣接する床板４相互の位置関係をより正確かつ安定して決定するには、外向基準面１１は、周壁５と面一でなく、角部の周壁の一部を水平方向（本例のように外方のほか、内方でもよい）にずらして設けるとよい。これにより、外向基準面１１は寸法管理を容易にしながら、隣接する床板４相互の位置関係をより正確かつ安定に決定する寸法精度を達成する。
床板４は、各辺が外向基準面１１に平行な略正方形の係止孔１２を下面板６の角部に設けている。この係止孔１２は、周縁から上方に向けて筒状壁を設け、この筒状壁の外向基準面１１と対向する２面を内向基準面１３としている。本例の係止孔１２は略正方形であるが、その他の多角形や円形等、外向基準面１１と対向する位置関係で内向基準面１３が成形できれば形状を問わない。
床板４に設けた対角線上の分画開口部７は、図７に見られるように、上面板８を対角線で分画する。対向する斜辺端部の一方は、延設して下方、水平の順に折り曲げて水平支持面を形成した複合対角線リブ７ａとし、斜辺端部の他方は、下方に折り曲げて単純対角線リブ７ｂとしている。これにより、分画開口部７の断面は、前記単純対角線リブ７ｂの端部を複合対角線リブ７ａの水平支持面に略当接した構造になっている。複合対角線リブ７ａの水平支持面は、単純対角線リブ７ｂの大部分を支持できればよく、全長に亘って支持する必要はない。この床板４は、分画開口部７を境に下面板６が基礎床面１に沿うよう変形し、敷設後にがたつかない。分画開口部７の幅は、ハイヒールの踵が落ち込まない程度、約８ｍｍ以下が好ましい。実際には、不陸に沿う際の下面板の変形が極微量であるから、分画開口部７の幅は１〜２ｍｍに設定するとよい。
支持脚２は、図９、図１０及び図１１に見られるように、角部に正方形の嵌合孔２０を設けた平坦な略正方形の上面部２１と、上面部２１の周縁から降ろした脚部２２と、脚部２２の下端周縁から外方へ延設した鍔部２３とからなる。本例の支持脚２は、表面処理鋼板を縁付容器状に絞り加工して作る。前記絞り加工（プレス加工）して得られる支持脚２は、図１１中矢印方向に順次連続して帯板材２４を送り、ほとんどスクラップを発生させずに作ることができる。脚部２２の４面のうち帯板材２４の長手方向に沿う２面には、所定幅の周囲を残して下方に開いた門型開口部２５を設け、剛性を高めることができる。これにより、比較的幅の狭い帯板材２４を原材料としても、高剛性の支持脚を作ることができる。支持脚２の上面部２１は平面視円形等であってもよい。
係止板３は、図１、図２及び図３に見られるように、支持脚２の上面部２１に被さる略正方形の板面３０周縁から垂下部３１を降ろした構造である。この係止板３は、ＰＰ等の樹脂により一体成形して作ることができ、支持脚２と床板４との直接接触を避けるために用いる。垂下部３１は、板面３０の捲れ防止の働きを有するほか、支持脚２の位置決めガイドとしても機能する。板面３０は、角部を突き合わせた４枚の床板４の周壁５，５間に嵌入する十字状の外側規制凸部３２を中央に設けている。この外側規制凸部３２の外向基準面１１に対向接触する側面部分が、外側規制面３３となる。また、板面３０は、四角柱状の内側規制凸部３４を上方へ突出して角部に設けている。この内側規制凸部３４の係止孔１２の内向基準面１３と対向接触する側面部分が、内側規制面３５となる。これら各規制凸部３２、３４は、床板４の各基準面１１，１３に対向接触して位置規制可能な面積と強度とを備えていればよく、本例のようなブロック状ではなく、壁状であってもよい。
内側規制凸部３４は、図４に見られるように、床板内方に向いた２側面に沿って、２つの係止爪３６を設けている。係止爪３６は、内側規制凸部３４の側面部分を板面３０の裏面側まで突出させてから上方へ折り返し、先端を再び板面３０の上面に突出させた断面Ｕ字状である。この係止爪３６は、前記断面Ｕ字状の先端部分へ外向きに突出して形成した係止突起３９を、係止孔１２周縁から上方へ向けた筒状壁上縁に係止する。係止突起３９は、床板４を脱着する都合上、上下方向に傾斜を付けている。この下方向の傾斜は、係止孔１２から上方へ向けた筒状壁上縁に係止するため、上方向の傾斜に比べて幾分傾斜をきつくしている。内側規制凸部３４は、係止爪３６との間に板面３０の裏面に達する深さ（上下方向長さ）の溝を形成することになる。前記溝は、深さを変更することで、係止爪３６の可撓性を調節できる。また、本例の係止爪３６は、可撓性を阻害されないように、周囲を板面３０と切り離している。
板面３０は、図３に見られるように、内側規制凸部３４の周壁部分と係止爪３６の腕部分とをそのまま下方へ突出し、嵌合部３７を形成している。嵌合部３７は、外向きの鉤状突起３８の下端に設けている。この嵌合部３７が支持脚２の嵌合孔２０に嵌まり込むと、鉤状突起３８が嵌合孔２０の裏面に係止して、係止板３を支持脚２へ強固に止めつける。鉤状突起３８による係止力は、係止爪３６の係止突起３９による床板４に対する係止力よりも強く設定し、床板４脱着の際に誤って係止板３が支持脚２から外れないようにする。本例は、鉤状突起３８を設ける位置を、両側の係止爪３６のほぼ真下位置とし、床板４を取り外す際の鉤状突起３８に加わる力を最小限に抑えている。
本発明のフリーアクセス床は、図２に見られるように、低床であることに加え、係止板３を介して床板４を支持脚２上に強固に固定し、敷設する床板全体が各種荷重に耐える一体の構造体となるため、支持脚２を基礎床面１へ接着する必要がない。本例は、図５及び図６に見られるように、支持脚２を基礎床面１に接着しない代わり、支持脚２の鍔部２３先端４ヶ所に合成樹脂（エラストマー）製緩衝材４０を装着して、基礎床面１の不陸による支持脚２のがたつきを防止する。緩衝材４０は、支持脚２の鍔部２３を嵌め込む横方向の挿入溝４１を形成した袋状の挿入部４２と、この挿入部４２から外方斜め下方に向けて延設したスカート部４３とからなる。本例の緩衝材４０は、挿入溝４１下面に形成した上向きの突起部４４を、鍔部２３に形成した角孔２６（図９参照）に嵌め込み、鍔部２３からの抜け止めを図っている。緩衝材４０の鍔部２３からの抜け止めは、鍔部２３の縁部に形成した切欠と、前記切欠に嵌まり込む挿入溝４１内側面の突起部４４の組み合わせ等でもよい。また、緩衝材４０は、支持脚２の鍔部２３の略全域に装着する大きさで各鍔部２３に装着する２個、又は支持脚２の底面全体を覆う大きさの１個のみとしてもよい。
スカート部４３は、適度な弾性を有し、単に基礎床面１においた状態では、挿入部４２の裏面よりも先端が下方へ突出したままで、挿入部４２の底面を基礎床面１に接地させない。しかし、スカート部４３は、支持脚２上に床板４を載せると、この床板２の重みで弾性変形して拡がり、挿入部４２の底面を基礎床面１に接地する（図５の状態）。したがって、緩衝材４０は、基礎床面１の不陸によって基礎床面１と挿入部４２の底面とに隙間Ｃがあっても、スカート部４３を基礎床面１に常に接地した状態（図６の状態）にでき、緩衝作用を発揮して床板４のがたつきを抑える。また、スカート部４３は、基礎床面１上に這わせた配線が隙間Ｃに入り込むことを防ぎ、支持脚２が前記配線を踏み付けてしまう心配をなくす。図示は省略するが、挿入部４２は、滑り止めの凹凸加工を底面に施すことで、基礎床面１とのズレを防止できる。
こうして、床板４は、外向基準面１１を係止板３の外側規制凸部３２（外側規制面３３）に、内向基準面１３を内側規制凸部３４（内側規制面３５）に当接して位置規制すると同時に、係止孔１２に係止爪３６の係止突起３９を弾性係止して、支持脚２上に強固に固定できる。隣接する床板４は、相互間に０．５ｍｍ程度の僅かな隙間Ｄ（図１参照）ができるようにそれぞれ寸法設計しており、床板４同士の接触によるきしみ音の発生を防止している。この隙間Ｄは、床板４の上面板８にタイルカーペット等の表面材を貼着することで塞がれるため、全く差し支えない。表面材は、床板４の外形寸法より僅かに大きい寸法とし、工場出荷時に床板４の上面板８に予め接着するようにすれば、更にフリーアクセス床の施工の短期化、メンテナンス性の向上を図ることができる。
施工後、支持脚２を基礎床面１に接着する必要性が生じた場合、図１及び図９に見られるように、接着剤は、鍔部２３に貫設した注入孔２７から支持脚の鍔部２３下面へ流し込めばよい。前述したように、支持脚２は、基礎床面１に接着する必要はないが、例えばボーダー等基準となる部位の支持脚２を基礎床面１に接着することで、より安定した敷設状態が長期に亘って得られる。注入孔２７から接着剤を流し込む作業は、非常に簡単である。
本発明は、図１２に見られるように、係止爪３６を省き、係止突起３９を内側規制凸部３４の側面に直接形成してもよい。係止爪３６を省いたため、前記係止突起３９は大きな弾性は有しないが、係止板３が樹脂成形品であれば、係止に必要な弾性を係止突起３９に与えることができる。
産業上の利用可能性
本発明は、床下空間に自由な配線ができるフリーアクセス床において、床板同士の接触、きしみ音、床板と支持脚又は支持脚と基礎床面とのがたつき、床板の浮き上がりや迫り上がり等を防止する。しかも、本発明のフリーアクセス床は、高さの微調整を可能にした支持脚や交点止めする押圧部材を必要としないので、部材コストを低く抑え、施工も早い。また、本発明のフリーアクセス床は、工場出荷時に床板にカーペット等の表面材を予め接着しておくこともできるので、更に施工を短縮し、メンテナンス性を向上させる。
更に、係止板を介して床板を支持脚上に固定することにより、フリーアクセス床全体が一体化でき、支持脚の基礎床面への接着を省略できる。しかも、基礎床面に不陸があっても、緩衝材を鍔部に装着した支持脚によりがたつきを発生させない。特に、ビルの部屋貸し（スケルトン貸し）のように、テナントが変わる度に部屋の模様替えをするような場合、本発明のフリーアクセス床を用いれば、多数の支持脚を基礎床面に無接着としておくことで、施工前の状態への復旧が容易となるし、将来、床高さを変更する場合にも支持脚の交換作業が容易となる利点がある。
【図１】
0004128446.tif 000002
【図２】
0004128446.tif 000003
【図３】
0004128446.tif 000004
【図４】
0004128446.tif 000005
【図５】
0004128446.tif 000006
【図６】
0004128446.tif 000007
【図７】
0004128446.tif 000008
【図８】
0004128446.tif 000009
【図９】
0004128446.tif 000010
【図１０】
0004128446.tif 000011
【図１１】
0004128446.tif 000012
【図１２】
0004128446.tif 000013
【図１３】
0004128446.tif 000014